(57)【要約】【課題】室内ユニットの据え付け作業を簡単に行う。【解決手段】電装部品は、標準装備のフラップモータと、オプション装備のワイヤレスリモコン受信機及び人検知センサとを有する。配線は、フラップモータから延びるモータ用配線（90，91）と、ワイヤレスリモコン受信機及び人検知センサからそれぞれ延びる受信機用配線（88）及びセンサ用配線（94）とを有する。受信機用配線（88）及びセンサ用配線（94）は、フラップモータ近傍まで延びた後、モータ用配線（90，91）に束ねられて該モータ用配線（90，91）に沿って延びている。【選択図】図９
2014215023.tif 000002
【特許請求の範囲】
【請求項１】
天井（U）に設けられる室内ユニット本体（21）の外側に取り付けられた電装品箱（25）に化粧パネル（40）に設けられた電装部品から延びる配線を接続する空気調和機の室内ユニットの配線接続構造であって、
上記電装部品は、標準装備の第１電装部品（81a，81d）と、オプション装備の第２電装部品（82，83）とを有し、
上記配線は、上記第１電装部品（81a，81d）から延びる第１配線（84，87）と、上記第２電装部品（82，83）から延びる第２配線（88，94）とを有し、
上記第２配線（88，94）は、上記第１電装部品（81a，81d）近傍まで延びた後、上記第１配線（84，87）に束ねられて該第１配線（84，87）に沿って延びていることを特徴とする空気調和機の室内ユニットの配線接続構造。
【請求項２】
請求項１において、
上記化粧パネル（40）は、上記第１配線（84，87）を上側に向かって延びるように案内する案内部（71a）を有していることを特徴とする空気調和機の室内ユニットの配線接続構造。
【請求項３】
請求項１又は２において、
上記第２配線（88，94）は、該第２配線（88，94）が撓まずに上記化粧パネル（40）の側面を通って上記第１電装部品（81a，81d）近傍まで延びるように上記化粧パネル（40）に取付部材（92）を介して取り付けられていることを特徴とする空気調和機の室内ユニットの配線接続構造。
【請求項４】
請求項３において、
上記化粧パネル（40）には、その中央部に吸込流路（42）が、該吸込流路（42）の辺に沿って吹出流路（43）が形成され、
上記化粧パネル（40）は、上記吹出流路（43）の外側に設けられた外側断熱部（47）と、該外側断熱部（47）の外側に設けられ、上記天井（U）の下面に沿うように上記化粧パネル（40）の外縁部に向かって延出する延出部（51）とを有し、
上記外側断熱部（47）の外面は、上記化粧パネル（40）の側面を構成していることを特徴とする空気調和機の室内ユニットの配線接続構造。
【請求項５】
請求項３又は４において、
上記化粧パネル（40）は、上記電装部品を収容する収容部（71a〜71d）を有し、
上記収容部（71a〜71d）は、上側に向かって開口する収容部本体（72）と、該収容部本体（72）の上側開口を覆う蓋部（73）とを有し、
上記取付部材（92）は、上記収容部本体（72）に上記蓋部（73）と共に共締めされていることを特徴とする空気調和機の室内ユニットの配線接続構造。
【請求項６】
請求項１乃至５の何れか１つにおいて、
上記第１電装部品（81a，81d）は、上記化粧パネル（40）の角部に設けられ、
上記電装品箱（25）は、上記室内ユニット本体（21）における上記角部に対応する角部をなす相隣り合う側面の一方に取り付けられていることを特徴とする空気調和機の室内ユニットの配線接続構造。
【発明の詳細な説明】
【技術分野】
【０００１】
本発明は、天井に設けられる室内ユニット本体の外側に取り付けられた電装品箱に化粧パネルに設けられた電装部品から延びる配線を接続する空気調和機の室内ユニットの配線接続構造に関するものである。
【背景技術】
【０００２】
天井に設けられる室内ユニット本体に取り付けられた電装品箱に化粧パネルに設けられた電装部品から延びる配線を接続する空気調和機の室内ユニットの配線接続構造が従来技術として知られている。
【０００３】
例えば、特許文献１の配線接続構造は、電装品箱が室内ユニット本体の内側に取り付けられている。特許文献１の配線接続構造はまた、電装品箱から延びる第１配線の先端に設けられた第１差込式コネクタと、化粧パネルの電装部品から延びる第２配線の先端に設けられ、第１差込式コネクタと電気的に接続する第２差込式コネクタとを備えている。そして、第１差込式コネクタは、その接続端部が第２差込式コネクタに対して室内側に向くように室内ユニット本体に固定されている。また、第１差込式コネクタの接続端部は、室内側に露出可能になっている。以上の構成により、室内ユニットを簡単に据え付けることができる。
【先行技術文献】
【特許文献】
【０００４】
【特許文献１】特開２０１１−２３２００７号公報
【発明の概要】
【発明が解決しようとする課題】
【０００５】
ところで、上述の如く配線接続構造では、電装品箱を室内ユニット本体の外側に取り付ける場合がある。この場合、複数の電装部品から延びる配線を別々に電装品箱に接続すると、室内ユニットの据え付け時にその配線が化粧パネルと天井との間に挟まれ易く、室内ユニットの据え付け作業が困難になるという問題がある。
【０００６】
本発明は、かかる点に鑑みてなされたものであり、その目的は、室内ユニットの据え付け作業を簡単に行うことにある。                                    
【課題を解決するための手段】
【０００７】
第１の発明は、天井（U）に設けられる室内ユニット本体（21）の外側に取り付けられた電装品箱（25）に化粧パネル（40）に設けられた電装部品から延びる配線を接続する空気調和機の室内ユニットの配線接続構造であって、上記電装部品は、標準装備の第１電装部品（81a，81d）と、オプション装備の第２電装部品（82，83）とを有し、上記配線は、上記第１電装部品（81a，81d）から延びる第１配線（84，87）と、上記第２電装部品（82，83）から延びる第２配線（88，94）とを有し、上記第２配線（88，94）は、上記第１電装部品（81a，81d）近傍まで延びた後、上記第１配線（84，87）に束ねられて該第１配線（84，87）に沿って延びていることを特徴とするものである。
【０００８】
第１の発明では、第２配線（88，94）が第１電装部品（81a，81d）近傍まで延びた後、第１配線（84，87）に束ねられて該第１配線（84，87）に沿って延びている。つまり、第１及び第２配線（81a，81d，88，94）は、標準装備の第１電装部品（81a，81d）から延びる第１配線（84，87）を基準として１つにまとめられている。
【０００９】
第２の発明は、上記第１の発明において、上記化粧パネル（40）は、上記第１配線（84，87）を上側に向かって延びるように案内する案内部（71a）を有していることを特徴とするものである。
【００１０】
第２の発明では、案内部（71a）が第１配線（84，87）を上側に向かって延びるように案内するので、束ねられた第１及び第２配線（81a，81d，88，94）が上側に向かって延びる。
【００１１】
第３の発明は、上記第１又は第２の発明において、上記第２配線（88，94）は、該第２配線（88，94）が撓まずに上記化粧パネル（40）の側面を通って上記第１電装部品（81a，81d）近傍まで延びるように上記化粧パネル（40）に取付部材（92）を介して取り付けられていることを特徴とするものである。
【００１２】
第３の発明では、第２配線（88，94）が、該第２配線（88，94）が撓まずに化粧パネル（40）の側面を通って第１電装部品（81a，81d）近傍まで延びるように化粧パネル（40）に取付部材（92）を介して取り付けられている。
【００１３】
第４の発明は、上記第３の発明において、上記化粧パネル（40）には、その中央部に吸込流路（42）が、該吸込流路（42）の辺に沿って吹出流路（43）が形成され、上記化粧パネル（40）は、上記吹出流路（43）の外側に設けられた外側断熱部（47）と、該外側断熱部（47）の外側に設けられ、上記天井（U）の下面に沿うように上記化粧パネル（40）の外縁部に向かって延出する延出部（51）とを有し、上記外側断熱部（47）の外面は、上記化粧パネル（40）の側面を構成していることを特徴とするものである。
【００１４】
第４の発明では、第２配線（88，94）が、該第２配線（88，94）が撓まずに外側断熱部（47）の外面を通って第１電装部品（81a，81d）近傍まで延びるように化粧パネル（40）に取付部材（92）を介して取り付けられている。
【００１５】
第５の発明は、上記第３又は第４の発明において、上記化粧パネル（40）は、上記電装部品を収容する収容部（71a〜71d）を有し、上記収容部（71a〜71d）は、上側に向かって開口する収容部本体（72）と、該収容部本体（72）の上側開口を覆う蓋部（73）とを有し、上記取付部材（92）は、上記収容部本体（72）に上記蓋部（73）と共に共締めされていることを特徴とするものである。
【００１６】
第５の発明では、取付部材（92）が収容部（71a，71d）の収容部本体（72）に蓋部（73）と共に共締めされている。
【００１７】
第６の発明は、上記第１乃至第５の何れか１つの発明において、上記第１電装部品（81a，81d）は、上記化粧パネル（40）の角部に設けられ、上記電装品箱（25）は、上記室内ユニット本体（21）における上記角部に対応する角部をなす相隣り合う側面の一方に取り付けられていることを特徴とするものである。
【００１８】
第６の発明では、第１電装部品（81a，81d）が化粧パネル（40）の角部に設けられ、電装品箱（25）が室内ユニット本体（21）におけるその角部に対応する角部をなす相隣り合う側面の一方に取り付けられている。つまり、電装品箱（25）は、室内ユニット本体（21）の側面のうち第１電装部品（81a，81d）に近い側面に取り付けられている。
【発明の効果】
【００１９】
本発明によれば、第１及び第２配線（81a，81d，88，94）が、標準装備の第１電装部品（81a，81d）から延びる第１配線（84，87）を基準として１つにまとめられている。このため、第１及び第２配線（81a，81d，88，94）を別々に電装品箱（25）に接続する場合と比較して、室内ユニット（20）の据え付け時に第１及び第２配線（81a，81d，88，94）が化粧パネル（40）と天井（U）との間に挟まれることを抑制できる。したがって、室内ユニット（20）の据え付け作業を簡単に行うことができる。
【００２０】
また、上記第２の発明によれば、束ねられた第１及び第２配線（81a，81d，88，94）が上側に向かって延びる。このため、第１及び第２配線（81a，81d，88，94）が水平に延びる場合と比較して、室内ユニット（20）の据え付け時に第１及び第２配線（81a，81d，88，94）が化粧パネル（40）と天井（U）との間に挟まれることを抑制できる。したがって、室内ユニット（20）の据え付け作業をより一層簡単に行うことができる。
【００２１】
また、上記第３の発明によれば、室内ユニット（20）の据え付け時に化粧パネル（40）の側面を通る第２配線（88，94）が化粧パネル（40）と天井（U）との間に挟まれることを抑制できる。したがって、室内ユニット（20）の据え付け作業をより一層簡単に行うことができる。
【００２２】
また、上記第４の発明によれば、室内ユニット（20）の据え付け時に外側断熱部（47）の外面を通る第２配線（88，94）が化粧パネル（40）の延出部（51）と天井（U）との間に挟まれることを抑制できる。したがって、室内ユニット（20）の据え付け作業をより一層簡単に行うことができる。
【００２３】
また、上記第５の発明によれば、取付部材（92）を化粧パネル（40）に固定する部材を別途設けることなく、取付部材（92）を化粧パネル（40）に固定できる。このため、部材点数を低減できる。
【００２４】
また、上記第６の発明によれば、電装品箱（25）が、室内ユニット本体（21）の側面のうち第１電装部品（81a，81d）に近い側面に取り付けられている。このため、第１及び第２配線（81a，81d，88，94）の電装品箱（25）への接続作業を簡単に行うことができる。したがって、室内ユニット（20）の据え付け作業をより一層簡単に行うことができる。
【図面の簡単な説明】
【００２５】
【図１】図１は、実施形態に係る空気調和機の冷媒回路の構成を示す概略の配管系統図である。
【図２】図２は、実施形態に係る室内ユニットの外観を示す斜視図である。
【図３】図３は、実施形態に係る室内ユニットの内部構造を示す縦断面図である。
【図４】図４は、実施形態に係る室内ユニットの内部を天板側から視た平面図である。
【図５】図５は、実施形態に係る、収容部の蓋部及び内側シール部材を取り外した状態の化粧パネルの外観を示す平面図である。
【図６】図６は、実施形態に係る、ワイヤレスリモコン受信機及び人検知センサを取り付ける前の化粧パネルの外観を示す斜視図である。
【図７】図７は、実施形態に係る、吸込グリルを取り外した状態の化粧パネルの外観を示す斜視図である。
【図８】図８は、実施形態に係る化粧パネルの第４収容部の外観を示す斜視図である。
【図９】図９は、実施形態に係る室内ユニットの外観を示す平面図である。
【発明を実施するための形態】
【００２６】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２７】
本発明の実施形態は、室内の冷房及び暖房を行う空気調和機（10）である。図１に示すように、空気調和機（10）は、室外に設置される室外ユニット（11）と、室内に設置される室内ユニット（20）とを有する。室外ユニット（11）と室内ユニット（20）とは、２本の連絡配管（2,3）によって互いに接続される。これにより、空気調和機（10）では、冷媒回路（C）が構成される。冷媒回路（C）では、充填された冷媒が循環することで、蒸気圧縮式の冷凍サイクルが行われる。
【００２８】
〈冷媒回路の構成〉
室外ユニット（11）には、圧縮機（12）、室外熱交換器（13）、室外膨張弁（14）、及び四方切換弁（15）が設けられる。圧縮機（12）は、低圧の冷媒を圧縮し、圧縮後の高圧の冷媒を吐出する。圧縮機（12）では、スクロール式、ロータリ式等の圧縮機構が圧縮機モータ（12a）によって駆動される。圧縮機モータ（12a）は、インバータ装置によって、その回転数（運転周波数）が可変に構成されている。
【００２９】
室外熱交換器（13）は、フィン・アンド・チューブ式の熱交換器である。室外熱交換器（13）の近傍には、室外ファン（16）が設置される。室外熱交換器（13）では、室外ファン（16）が搬送する空気と冷媒とが熱交換する。室外ファン（16）は、室外ファンモータ（16a）によって駆動されるプロペラファンによって構成される。室外ファンモータ（16a）は、インバータ装置によって、その回転数が可変に構成される。
【００３０】
室外膨張弁（14）は、開度が可変な電子膨張弁で構成される。四方切換弁（15）は、第１から第４までのポートを有している。四方切換弁（15）では、第１ポートが圧縮機（12）の吐出側に接続し、第２ポートが圧縮機（12）の吸入側に接続し、第３ポートが室外熱交換器（13）のガス側端部に接続し、第４ポートがガス側閉鎖弁（5）に接続している。四方切換弁（15）は、第１状態（図１の実線で示す状態）と第２状態（図１の破線で示す状態）とに切り換わる。第１状態の四方切換弁（15）では、第１ポートと第３ポートが連通し且つ第２ポートと第４ポートが連通する。第２状態の四方切換弁（15）では、第１ポートと第４ポートが連通し且つ第２ポートと第３ポートが連通する。
【００３１】
２本の連絡配管は、液連絡配管（2）及びガス連絡配管（3））によって構成される。液連絡配管（2）は、一端が液側閉鎖弁（4）に接続され、他端が室内熱交換器（32）の液側端部に接続される。ガス連絡配管（3）は、一端がガス側閉鎖弁（5）に接続され、他端が室内熱交換器（32）のガス側端部に接続される。
【００３２】
室内ユニット（20）には、室内熱交換器（32）と室内膨張弁（39）とが設けられる。室内熱交換器（32）は、フィン・アンド・チューブ式の熱交換器である。室内熱交換器（32）の近傍には、室内ファン（27）が設置される。室内ファン（27）は、室内ファンモータ（27a）によって駆動される遠心式の送風機である。室内ファンモータ（27a）は、インバータ装置によって、その回転数が可変に構成されている。室内膨張弁（39）は、冷媒回路（C）において室内熱交換器（32）の液端部側に接続される。室内膨張弁（39）は、開度が可変な電子膨張弁で構成される。
【００３３】
〈室内ユニットの詳細構造〉
空気調和機（10）の室内ユニット（20）の詳細構造について図２〜図４を参照しながら説明する。本実施形態の室内ユニット（20）は、天井埋込式に構成されている。つまり、室内ユニット（20）は、図３に示すように、室内空間（Ｒ）に面する天井（U）の開口部（O）に嵌め込まれて取り付けられる。室内ユニット（20）は、室内ユニット本体（21）と、該室内ユニット本体（21）の下部に取り付けられる化粧パネル（40）とを有している。
【００３４】
−室内ユニット本体−
図２及び図３に示すように、室内ユニット本体（21）は、略直方体形状の箱形のケーシング（22）を有している。ケーシング（22）は、平面視において略正方形状の天板（23）と、該天板（23）の周縁部から下方に延びる略矩形状の４枚の側板（24）とを有し、下面に開口が形成されている。図２に示すように、４つの側板（24）のうちの１つの側板（24a）の外面には、縦長の箱形の電装品箱（25）が取り付けられる。また、この側板（24a）には、室内熱交換器（32）と接続する液側接続管（6）とガス側接続管（7）とが貫通している。液側接続管（6）には、液連絡配管（2）が接続され、ガス側接続管（7）には、ガス連絡配管（3）が接続される。
【００３５】
ケーシング（22）の内部には、室内ファン（27）と、ベルマウス（31）と、室内熱交換器（32）と、ドレンパン（36）とが収容されている。
【００３６】
図３及び図４に示すように、室内ファン（27）は、ケーシング（22）の内部中央に配置されている。室内ファン（27）は、室内ファンモータ（27a）と、ハブ（28）と、シュラウド（29）と、羽根車（30）とを有している。室内ファンモータ（27a）は、ケーシング（22）の天板（23）に支持されている。ハブ（28）は、室内ファンモータ（27a）の回転駆動される駆動軸（27b）の下端に固定されている。ハブ（28）は、室内ファンモータ（27a）の径方向外方に形成される環状の基部（28a）と、該基部（28a）の内周縁部から下方に膨出する中央膨出部（28b）とを有している。
【００３７】
シュラウド（29）は、ハブ（28）の基部（28a）に対向するように、該基部（28a）の下側に配置される。シュラウド（29）の下部には、ベルマウス（31）の内部と連通する円形の中央吸込口（29a）が形成される。羽根車（30）は、ハブ（28）とシュラウド（29）との間の羽根収容空間（29b）に配置されている。羽根車（30）は、駆動軸（27b）の回転方向に沿うように配列された複数のターボ翼（30a）によって構成されている。
【００３８】
ベルマウス（31）は、室内ファン（27）の下側に配置されている。ベルマウス（31）は、上端及び下端にそれぞれ円形の開口を有し、化粧パネル（40）に向かうにつれて開口面積が拡大した筒状に形成される。ベルマウス（31）の内部空間（31a）は、室内ファン（27）の羽根収容空間（29b）に連通している。
【００３９】
図４に示すように、室内熱交換器（32）は、室内ファン（27）の周囲を囲むように冷媒配管（伝熱管）が曲げられて配設されている。室内熱交換器（32）は、上方に起立するようにドレンパン（36）の上面に設置されている。室内熱交換器（32）には、室内ファン（27）から側方へ吹き出された空気が通過する。室内熱交換器（32）は、冷房運転時に空気を冷却する蒸発器を構成し、暖房運転時に空気を加熱する凝縮器（放熱器）を構成する。
【００４０】
図３及び図４に示すように、室内熱交換器（32）の下側には、ドレンパン（36）が配置される。ドレンパン（36）は、内壁部（36a）と外壁部（36b）と水受部（36c）とを有している。内壁部（36a）は、室内熱交換器（32）の内周縁部に沿って形成され、上方に立設する環状の縦壁によって構成される。外壁部（36b）は、ケーシング（22）の４枚の側板（24）に沿って形成され、上方に立設する環状の縦壁によって構成される。水受部（36c）は、内壁部（36a）と外壁部（36b）との間に形成され、室内熱交換器（32）で発生した凝縮水を回収するための溝によって構成される。また、ドレンパン（36）の外壁部（36b）には、各々が４枚の側板（24）に沿って延びる４つの本体側吹出流路（37）が上下に貫通して形成される。各本体側吹出流路（37）は、室内熱交換器（32）の下流側の空間と、化粧パネル（40）の４つのパネル側吹出流路（43）とを連通させる。
【００４１】
また、室内ユニット本体（21）には、本体側断熱部材（38）が設けられている。本体側断熱部材（38）は、下側が開放する略箱状に形成される。本体側断熱部材（38）は、ケーシング（22）の天板（23）に沿って形成される天板側断熱部（38a）と、ケーシング（22）の側板（24）に沿って形成される側板側断熱部（38b）とを有している。天板側断熱部（38a）の中央部には、室内ファンモータ（27a）の上端部が貫通する円形の貫通穴（38c）が形成される。側板側断熱部（38b）は、ドレンパン（36）の外壁部（36b）のうち本体側吹出流路（37）の外側部位に設置される。
【００４２】
−化粧パネル−
化粧パネル（40）は、ケーシング（22）の下面に取り付けられる。化粧パネル（40）は、パネル本体（41）と吸込グリル（60）とを備えている。
【００４３】
パネル本体（41）は、平面視において矩形の枠状に形成されている。パネル本体（41）には、１つのパネル側吸込流路（42）と、４つのパネル側吹出流路（43）とが形成される。
【００４４】
図３に示すように、パネル側吸込流路（42）は、パネル本体（41）の中央部に形成されている。パネル側吸込流路（42）の下端には、室内空間（Ｒ）に臨む吸込口（42a）が形成される。パネル側吸込流路（42）は、吸込口（42a）とベルマウス（31）の内部空間（31a）とを連通させる。パネル側吸込流路（42）には、枠状の内側パネル部材（44）が内嵌している。また、パネル側吸込流路（42）の内部には、吸込口（42a）から吸い込んだ空気中の塵埃を捕捉する集塵フィルタ（45）が設けられる。
【００４５】
各パネル側吹出流路（43）は、パネル側吸込流路（42）の周囲を囲むように、該パネル側吸込流路（42）の外側に形成される。各パネル側吹出流路（43）は、各パネル側吸込流路（42）の四辺に沿ってそれぞれ延びている。各パネル側吹出流路（43）の下端には、室内空間（R）に臨む吹出口（43a）がそれぞれ形成される。各パネル側吹出流路（43）は、対応する吹出口（43a）と、対応する本体側吹出流路（37）とを連通させる。
【００４６】
図３に示すように、パネル側吹出流路（43）の内側（パネル本体（41）の中央部側）には、内側断熱部（46）が設けられている。また、パネル側吹出流路（43）の外側（パネル本体（41）の外縁部側）には、外側断熱部（47）が設けられている。外側断熱部（47）の外面（パネル本体（41）の外縁部側の面）と天井（U）の開口部（O）の内周面との間の隙間は小さい。内側断熱部（46）及び外側断熱部（47）の上面には、パネル本体（41）とドレンパン（36）との間に介設される内側シール部材（48）が設けられる。
【００４７】
外側断熱部（47）の内縁部には、外側パネル部材（49）が内嵌している。外側パネル部材（49）は、本体側吹出流路（37）の外壁面に沿って形成される隔壁部（50）と、該隔壁部（50）の下端部からパネル本体（41）の外縁部に向かって延出する延出部（51）とを有している。延出部（51）は、天井（Ｕ）の下面に沿った矩形枠状に形成されている。延出部（51）の延出量は小さい。延出部（51）の上面には、該延出部（51）と天井（Ｕ）の間に介設される外側シール部材（52）が設けられる。
【００４８】
また、各本体側吹出流路（37）には、本体側吹出流路（37）を流れる空気（吹出空気）の風向を調節するための風向調節羽根（53）が設けられている。風向調節羽根（53）は、ケーシング（22）の側板（24）に沿うように本体側吹出流路（37）の長手方向の一端から他端に亘って形成される。風向調節羽根（53）は、その長手方向に延びる回動軸（53a）を軸心として回動自在に構成される。
【００４９】
吸込グリル（60）は、パネル側吸込流路（42）の下端（即ち、吸込口（42a））に取り付けられる。吸込グリル（60）は、吸込口（42a）に面するグリル本体（61）と、グリル本体（61）から各吹出口（43a）側に向かって外側に延出する矩形状の延長部（65）とを有している。グリル本体（61）は、平面視において略正方形状に形成されている。グリル本体（61）の中央部には、多数の吸込孔（63）が格子状に配列される。これらの吸込孔（63）は、グリル本体（61）を厚さ方向（上下方向）に貫通する貫通孔によって構成される。吸込孔（63）は、その開口断面の形状が正方形状に形成される。
【００５０】
吸込グリル（60）の延長部（65）は、グリル本体（61）から吹出口（43a）に向かって外方に延出する矩形枠状に形成される。延長部（65）は、内側断熱部（46）の下面と重なるように、パネル本体（41）と上下方向にオーバーラップしている。また、延長部（65）の側方端部は、吹出口（43a）の内側縁部よりも吸込口（42a）寄りにシフトしている。
【００５１】
−室内ユニットの配線接続構造−
次いで、室内ユニット本体（21）の外側に取り付けられた電装品箱（25）に化粧パネル（40）に設けられた電装部品から延びる配線を接続する室内ユニット（20）の配線接続構造について説明する。
【００５２】
図５〜図９に示すように、化粧パネル（40）（パネル本体（41））の角部には、収容部が設けられている。この収容部は、化粧パネル（40）における周方向に順に配置された第１〜第４角部にそれぞれ設けられた第１〜第４収容部（71a〜71d）を有している。つまり、第１及び第３収容部（71a，71c）、第２及び第４収容部（71b，71d）は、それぞれ化粧パネル（40）の対角に設けられている。収容部（71a〜71d）は、平面視において略正方形状に形成されている。収容部（71a〜71d）は、収容部本体（72）と、蓋部（73）とを有している。収容部本体（72）は、上側に向かって開口している。第１〜第３収容部（71a〜71c）の収容部本体（72）における後述する収容凹部（75）に対応する側壁部には、該収容凹部（75）に臨む挿通孔（72a）が形成されている。挿通孔（72a）には、後述する第２モータ用ハーネス（91）が挿通される。蓋部（73）は、板状に形成されている。蓋部（73）は、収容部本体（72）の上側開口を覆う。蓋部（73）は、収容部本体（72）にボルト（締結部材）（74）で固定されている。第１、第２及び第４収容部（71a，71b，71d）の蓋部（73）における化粧パネル（40）の角に相対する角部には、配線用開口（73a）が形成されている。配線用開口（73a）は、室内ユニット（20）の外部に露出している。収容部（71a〜71d）の外面（パネル本体（41）の外縁部側の面）は、化粧パネル（40）の側面を構成している。尚、第１収容部（71a）は、本発明に係る案内部に対応する。
【００５３】
図３及び図５〜図８に示すように、上記外側断熱部（47）は、第１〜第４外側断熱部（47a〜47d）を有している。第１外側断熱部（47a）は第１及び第２収容部（71a，71b）の間に、第２外側断熱部（47b）は第２及び第３収容部（71b，71c）の間に、第３外側断熱部（47c）は第３及び第４収容部（71c，71d）の間に、第４外側断熱部（47d）は第４及び第１収容部（71d，71a）の間に配置されている。外側断熱部（47）は、対応するパネル側吹出流路（43）に沿って延びている。外側断熱部（47）は、平面視において略長方形状に形成されている。第１及び第２外側断熱部（47a，47b）の上面には、収容凹部（75）が形成されている。収容凹部（75）は、対応するパネル側吹出流路（43）に沿って延びている。収容凹部（75）は、上側に向かって開口している。収容凹部（75）には、後述する第２モータ用ハーネス（91）が収容される。外側断熱部（47）の外面は、化粧パネル（40）の側面を構成している。
【００５４】
図５に示すように、上記電装部品は、標準装備のフラップモータ（第１電装部品）と、オプション装備のワイヤレスリモコン受信機（82）及び人検知センサ（83）（第２電装部品。概略を参考図示）とを有している。つまり、フラップモータは、化粧パネル（40）に標準で付けた装備である。一方、ワイヤレスリモコン受信機（82）及び人検知センサ（83）は、化粧パネル（40）に選択的に追加した装備である。そして、フラップモータは、室内ユニット（20）の据え付け前の出荷時にすでに取り付けられている。一方、ワイヤレスリモコン受信機（82）及び人検知センサ（83）は、室内ユニット（20）の据え付け時にその現場で取り付けられる。
【００５５】
上記フラップモータは、風向調節羽根（53）を駆動するモータである。風向調節羽根（53）は、それぞれ第１〜第４外側断熱部（47a〜47d）に沿って延びる第１〜第４風向調節羽根を有している。フラップモータは、それぞれ第１〜第４風向調節羽根を駆動する第１〜第４フラップモータ（81a〜81d）を有している。第１及び第４フラップモータ（81a，81d）は、第１収容部（71a）内の中央部に隣接して収容されている。第２及び第３フラップモータ（81b，81c）は、第３収容部（71c）内の中央部に隣接して収容されている。
【００５６】
上記ワイヤレスリモコン受信機（82）は、空気調和機（10）の図示しないワイヤレスリモコンからの信号を受信する装置である。上記人検知センサ（83）は、室内にいる人を検知する赤外線センサである。
【００５７】
図３及び図５〜図９に示すように、上記配線は、第１〜第４フラップモータ（81a〜81d）からそれぞれ延びる第１〜第４モータ用配線（84〜87）（第１配線）と、ワイヤレスリモコン受信機（82）から延びる受信機用配線（88）（第２配線）と、人検知センサ（83）から延びる２本のセンサ用配線（第２配線）とを有している。なお、図２では、この配線の図示を省略している。
【００５８】
第１及び第４モータ用配線（84，87）は、第１収容部（71a）内の中央部で束ねられ、第１モータ用ハーネス（90）を構成している。上記第２及び第３モータ用配線（85，86）は、第３収容部（71c）内の中央部で束ねられ、第２モータ用ハーネス（91）を構成している。第２モータ用ハーネス（91）は、第３収容部（71c）内の外側（パネル本体（41）の外縁部側）、第３収容部（71c）の挿通孔（72a）、第２外側断熱部（47b）の収容凹部（75）内、第２収容部（71b）の第２外側断熱部（47b）側の挿通孔（72a）、第２収容部（71b）内の外側、第２収容部（71b）の第１外側断熱部（47a）側の挿通孔（72a）、第１外側断熱部（47a）の収容凹部（75）内及び第１収容部（71a）の挿通孔（72a）を順に通って、第１収容部（71a）内の外側まで延びている。つまり、第２モータ用ハーネス（91）は、化粧パネル（40）に内蔵されている。このように、第２モータ用ハーネス（91）を化粧パネル（40）に内蔵できるのは、第２及び第３フラップモータ（81b，81c）が標準装備で、室内ユニット（20）の据え付け前の出荷時にすでに取り付けられているからである。
【００５９】
上記第１及び第２モータ用ハーネス（90，91）は、第１収容部（71a）の蓋部（73）の配線用開口（73a）に向かってそれぞれ延びた後、該配線用開口（73a）から飛び出している。そして、第１及び第２モータ用ハーネス（90，91）は、その配線用開口（73a）により案内されて上側に延びている。
【００６０】
上記受信機用配線（88）は、第２収容部（71b）の蓋部（73）の配線用開口（73a）から飛び出した後、第２収容部（71b）の外面の上端部、第１外側断熱部（47a）の外面の上端部及び第１収容部（71a）の外面の上端部を順に通って、第１収容部（71a）の蓋部（73）の配線用開口（73a）近傍まで延びている。つまり、受信機用配線（88）は、化粧パネル（40）の側面の上端部を通って第１及び第４フラップモータ（81a，81d）近傍まで延びている。こうして、受信機用配線（88）は、化粧パネル（40）の外部に露出している。このように、受信機用配線（88）を化粧パネル（40）に内蔵できないのは、ワイヤレスリモコン受信機（82）がオプション装備で、室内ユニット（20）の据え付け時にその現場で取り付けられるからである。受信機用配線（88）は、上述の如く、化粧パネル（40）の側面の上端部を通るので、受信機用配線（88）が化粧パネル（40）の延出部（51）と天井（U）との間に挟まれることを抑制できる。
【００６１】
受信機用配線（88）は、該受信機用配線（88）が撓まないように化粧パネル（40）に１つのプラスチックバンド（92）（取付部材）及び１つのクランプ（93）を介して取り付けられている。プラスチックバンド（92）は、第１収容部（71a）の収容部本体（72）に蓋部（73）と共にボルト（74）で共締めされている。クランプ（93）は、第２収容部（71b）の蓋部（73）に取り付けられている。
【００６２】
上記２本のセンサ用配線は、第４収容部（71d）内で束ねられ、センサ用ハーネス（94）を構成している。センサ用ハーネス（94）は、第４収容部（71d）の蓋部（73）の配線用開口（73a）から飛び出した後、第４収容部（71d）の外面の上端部及び第４外側断熱部（47d）の外面の上端部及び第１収容部（71a）の外面の上端部を順に通って、第１収容部（71a）の蓋部（73）の配線用開口（73a）近傍まで延びている。つまり、センサ用ハーネス（94）は、化粧パネル（40）の側面の上端部を通って第１及び第４フラップモータ（81a，81d）近傍まで延びている。こうして、センサ用ハーネス（94）は、化粧パネル（40）の外部に露出している。このように、センサ用ハーネス（94）を化粧パネル（40）に内蔵できないのは、センサ用ハーネス（94）がオプション装備で、室内ユニット（20）の据え付け時にその現場で取り付けられるからである。センサ用ハーネス（94）は、上述の如く、化粧パネル（40）の側面の上端部を通るので、センサ用ハーネス（94）が化粧パネル（40）の延出部（51）と天井（U）との間に挟まれることを抑制できる。
【００６３】
センサ用ハーネス（94）は、該センサ用ハーネス（94）が撓まないように化粧パネル（40）に２つのプラスチックバンド（92）（取付部材）を介して取り付けられている。プラスチックバンド（92）の一方は、第１収容部（71a）の収容部本体（72）に蓋部（73）と共にボルト（74）で共締めされている。もう一方（92）は、第４収容部（71d）の収容部本体（72）に蓋部（73）と共にボルト（74）で共締めされている。
【００６４】
図９に示すように、上記電装品箱（25）は、ケーシング（22）における第１収容部（71a）に対応する角部をなす相隣り合う側板（24）（室内ユニット本体（21）における第１収容部（71a）に対応する角部をなす相隣り合う側面）の一方（24a）に取り付けられている。つまり、電装品箱（25）は、ケーシング（22）の側板（24）のうち第１収容部（71a）に近い側板（24a）に取り付けられている。電装品箱（25）内には、図示しない制御基板が設けられている。この制御基板には、室内ユニット（20）に設けられた室内ファン（16）等の電装部品や化粧パネル（40）に設けられたフラップモータ（81a〜81d）、ワイヤレスリモコン受信機（82）及び人検知センサ（83）が、対応する配線を介して接続されている。制御基板はまた、図示しない制御部に接続されている。この制御部は、制御基板との間で各種信号を送受信することで、空気調和機（10）の制御を行う。
【００６５】
図７〜図９に示すように、受信機用配線（88）及びセンサ用ハーネス（94）は、上述の如く、第１収容部（71a）まで延びた後、第１収容部（71a）から飛び出した第１及び第２モータ用ハーネス（90，91）にクランプ（95）（結束部材）により束ねられて該第１及び第２モータ用ハーネス（90，91）に沿って延びている。つまり、モータ用ハーネス（90，91）、受信機用配線（88）及びセンサ用ハーネス（94）は、標準装備のフラップモータ（81a〜81d）から延びるモータ用配線（84〜87）を基準として１つにまとめられている。この束ねられたモータ用ハーネス（90，91）、受信機用配線（88）及びセンサ用ハーネス（94）は、室内ユニット（20）の外部に露出している。そして、束ねられたモータ用ハーネス（90，91）、受信機用配線（88）及びセンサ用ハーネス（94）は、電装品箱（25）の側面のうち第１収容部（71a）に最も近い一側面に図示しないコネクタを介して接続されている。
【００６６】
ここに、第１収容部（71a）は、上述の如く、第１及び第２モータ用ハーネス（90，91）を上側に向かって延びるように案内するので、束ねられたモータ用ハーネス（90，91）、受信機用配線（88）及びセンサ用ハーネス（94）は上側に向かって延びる。
【００６７】
−配線接続作業−
次いで、室内ユニット（20）の据え付け時における化粧パネル（40）の電装部品から延びる配線の、室内ユニット本体（21）の電装品箱（25）への接続作業手順について説明する。
【００６８】
まず、室内ユニット本体（21）を天井裏に取り付ける。また、吸込グリル（60）を取り付けていない状態の化粧パネル（40）にワイヤレスリモコン受信機（82）及び人検知センサ（83）を取り付ける。そして、受信機用配線（88）及びセンサ用ハーネス（94）を第１収容部（71a）まで延ばした後、第１収容部（71a）から飛び出した第１及び第２モータ用ハーネス（90，91）に束ねて該第１及び第２モータ用ハーネス（90，91）に沿って延ばす。それから、化粧パネル（40）を室内ユニット本体（21）の下部に持ってくる。続いて、化粧パネル（40）を室内ユニット本体（21）に仮掛けする。その後、束ねられたモータ用ハーネス（90，91）、受信機用配線（88）及びセンサ用ハーネス（94）を電装品箱（25）の一側面に接続する。これにより、化粧パネル（40）の電装部品から延びる配線の、室内ユニット本体（21）の電装品箱（25）への接続作業が完了する。
【００６９】
次に、化粧パネル（40）を室内ユニット本体（21）に図示しないボルト（締結部材）で取り付ける。その後、吸込グリル（60）をパネル側吸込流路（42）に取り付ける。以上により、化粧パネル（40）の室内ユニット本体（21）への取付け作業が完了する。
【００７０】
−運転動作−
次いで、本実施形態に係る空気調和機（10）の運転動作について説明する。空気調和機（10）では、冷房運転と暖房運転とが切り換えて行われる。
【００７１】
〈冷房運転〉
冷房運転では、図１に示す四方切換弁（15）が実線で示す状態となり、圧縮機（12）、室内ファン（27）、室外ファン（16）が運転状態となる。これにより、冷媒回路（C）では、室外熱交換器（13）が凝縮器となり、室内熱交換器（32）が蒸発器となる冷凍サイクルが行われる。
【００７２】
具体的には、圧縮機（12）で圧縮された高圧冷媒は、室外熱交換器（13）を流れ、室外空気と熱交換する。室外熱交換器（13）では、高圧冷媒が室外空気へ放熱して凝縮する。室外熱交換器（13）で凝縮した冷媒は、室内ユニット（20）へ送られる。室内ユニット（20）では、冷媒が室内膨張弁（39）で減圧された後、室内熱交換器（32）を流れる。
【００７３】
室内ユニット（20）では、室内空気が吸込口（42a）、パネル側吸込流路（42）、ベルマウス（31）の内部空間（31a）を順に上方に流れ、室内ファン（27）の羽根収容空間（29b）へ吸い込まれる。羽根収容空間（29b）の空気は、羽根車（30）によって搬送され、ハブ（28）とシュラウド（29）の間から径方向外方へ吹き出される。この空気は、室内熱交換器（32）を通過し、冷媒と熱交換する。室内熱交換器（32）では、冷媒が室内空気から吸熱して蒸発し、空気が冷媒によって冷却される。
【００７４】
室内熱交換器（32）で冷却された空気は、各本体側吹出流路（37）に分流した後、パネル側吹出流路（43）を下方に流れ、吹出口（43a）より室内空間（R）へ供給される。また、室内熱交換器（32）で蒸発した冷媒は、圧縮機（12）に吸入され再び圧縮される。    
【００７５】
〈暖房運転〉
暖房運転では、図１に示す四方切換弁（15）が破線で示す状態となり、圧縮機（12）、室内ファン（27）、室外ファン（16）が運転状態となる。これにより、冷媒回路（C）では、室内熱交換器（32）が凝縮器となり、室外熱交換器（13）が蒸発器となる冷凍サイクルが行われる。
【００７６】
具体的には、圧縮機（12）で圧縮された高圧冷媒は、室内ユニット（20）の室内熱交換器（32）を流れる。室内ユニット（20）では、室内空気が吸込口（42a）、パネル側吸込流路（42）、ベルマウス（31）の内部空間（31a）を順に上方に流れ、室内ファン（27）の羽根収容空間（29b）へ吸い込まれる。羽根収容空間（29b）の空気は、羽根車（30）によって搬送され、ハブ（28）とシュラウド（29）の間から径方向外方へ吹き出される。この空気は、室内熱交換器（32）を通過し、冷媒と熱交換する。室内熱交換器（32）では、冷媒が室内空気へ放熱して凝縮し、空気が冷媒によって加熱される。
【００７７】
室内熱交換器（32）で加熱された空気は、各本体側吹出流路（37）に分流した後、本体側吹出流路（43）を下方に流れ、吹出口（43a）より室内空間（R）へ供給される。また、室内熱交換器（32）で凝縮した冷媒は、室外膨脹弁（14）で減圧された後、室外熱交換器（13）を流れる。室外熱交換器（13）では、冷媒が室外空気から吸熱して蒸発する。室外熱交換器（13）で蒸発した冷媒は、圧縮機（12）に吸入され再び圧縮される。
【００７８】
−実施形態の効果−
以上により、本実施形態によれば、受信機用配線（88）及びセンサ用ハーネス（94）が第１及び第４フラップモータ（81a，81d）近傍（第１収容部（71a））まで延びた後、第１及び第２モータ用ハーネス（90，91）に束ねられて該第１及び第２モータ用ハーネス（90，91）に沿って延びている。つまり、モータ用ハーネス（90，91）、受信機用配線（88）及びセンサ用ハーネス（94）は、標準装備のフラップモータ（81a〜81d）から延びるモータ用配線（84〜87）を基準として１つにまとめられている。このため、モータ用ハーネス（90，91）、受信機用配線（88）及びセンサ用ハーネス（94）を別々に電装品箱（25）に接続する場合と比較して、室内ユニット（20）の据え付け時にモータ用ハーネス（90，91）、受信機用配線（88）及びセンサ用ハーネス（94）が化粧パネル（40）の延出部（51）と天井（U）との間に挟まれることを抑制できる。したがって、室内ユニット（20）の据え付け作業を簡単に行うことができる。
【００７９】
また、第１収容部（71a）が第１及び第２モータ用ハーネス（90，91）を上側に向かって延びるように案内するので、束ねられた第１及び第２モータ用ハーネス（90，91）、受信機用配線（88）並びにセンサ用ハーネス（94）が上側に向かって延びる。このため、モータ用ハーネス（90，91）、受信機用配線（88）及びセンサ用ハーネス（94）が水平に延びる場合と比較して、室内ユニット（20）の据え付け時にモータ用ハーネス（90，91）、受信機用配線（88）及びセンサ用ハーネス（94）が化粧パネル（40）の延出部（51）と天井（U）との間に挟まれることを抑制できる。したがって、室内ユニット（20）の据え付け作業をより一層簡単に行うことができる。
【００８０】
また、受信機用配線（88）及びセンサ用ハーネス（94）が、該受信機用配線（88）及びセンサ用ハーネス（94）が撓まずに化粧パネル（40）の側面（外側断熱部（47）の外面）を通って第１及び第４フラップモータ（81a，81d）近傍まで延びるように化粧パネル（40）にプラスチックバンド（92）等を介して取り付けられている。このため、室内ユニット（20）の据え付け時に化粧パネル（40）の側面を通る受信機用配線（88）及びセンサ用ハーネス（94）が化粧パネル（40）の延出部（51）と天井（U）との間に挟まれることを抑制できる。したがって、室内ユニット（20）の据え付け作業をより一層簡単に行うことができる。
【００８１】
また、プラスチックバンド（92）が収容部（71a，71d）の収容部本体（72）に蓋部（73）と共に共締めされているので、プラスチックバンド（92）を化粧パネル（40）に固定する部材を別途設けることなく、プラスチックバンド（92）を化粧パネル（40）に固定できる。このため、部材点数を低減できる。
【００８２】
また、第１収容部（71a）（第１及び第４フラップモータ（81a，81d））が化粧パネル（40）の第１角部に設けられ、電装品箱（25）がケーシング（22）におけるその第１角部に対応する角部をなす相隣り合う側板（24）（室内ユニット本体（21）におけるその第１角部に対応する角部をなす相隣り合う側面）の一方（24a）に取り付けられている。つまり、電装品箱（25）は、ケーシング（22）の側板（24）のうち第１収容部（71a）に近い側板（24a）に取り付けられている。このため、第１及び第２モータ用ハーネス（90，91）、受信機用配線（88）並びにセンサ用ハーネス（94）の電装品箱（25）への接続作業を簡単に行うことができる。したがって、室内ユニット（20）の据え付け作業をより一層簡単に行うことができる。
【００８３】
《その他の実施形態》
上記実施形態については、以下のような構成としてもよい。
【００８４】
上記実施形態では、フラップモータ（81a〜81d）を標準装備したが、これ以外の電装部品を標準装備してもよい。
【００８５】
また、上記実施形態では、ワイヤレスリモコン受信機（82）及び人検知センサ（83）をオプション装備したが、いずれか一方のみをオプション装備してもよい。
【００８６】
また、上記実施形態では、ワイヤレスリモコン受信機（82）及び人検知センサ（83）をオプション装備したが、これ以外の電装部品をオプション装備してもよい。
【００８７】
また、上記実施形態では、受信機用配線（88）及びセンサ用ハーネス（94）を第１及び第２モータ用ハーネス（90，91）に束ねたが、第１〜第４モータ用配線（84〜87）のうち１〜３つに束ねてもよい。
【００８８】
また、上記実施形態では、フラップモータ（81a〜81d）及びモータ用配線（84〜87）を４つずつ設けたが、１〜３つ又は５つ以上ずつ設けてもよい。
【００８９】
また、上記実施形態では、案内部を第１収容部（71a）で構成したが、第１及び第２モータ用ハーネス（90，91）を上側に向かって延びるように案内する限り、これに限定されない。
【産業上の利用可能性】
【００９０】
以上説明したように、本発明は、空気調和機の室内ユニットの配線接続構造について有用である。
【符号の説明】
【００９１】
１０            空気調和機 
２０            室内ユニット 
２１            室内ユニット本体 
２５            電装品箱 
４０            化粧パネル 
４１            パネル本体 
４２            パネル側吸込流路 
４３            パネル側吹出流路 
４７            外側断熱部 
４９            外側パネル部材 
５１            延出部 
７１ａ〜７１ｄ  収容部（案内部）
７２            収容部本体 
７３            蓋部 
８１ａ〜８１ｄ  フラップモータ（第１電装部品）
８２            ワイヤレスリモコン受信機（第２電装部品）
８３            人検知センサ（第２電装部品）
８４〜８７      モータ用配線（第１配線）
８８            受信機用配線（第２配線）
９２            プラスチックバンド（取付部材）
９４            センサ用ハーネス（第２配線）
Ｕ              天井
【図１】
2014215023.tif 000003
【図２】
2014215023.tif 000004
【図３】
2014215023.tif 000005
【図４】
2014215023.tif 000006
【図５】
2014215023.tif 000007
【図６】
2014215023.tif 000008
【図７】
2014215023.tif 000009
【図８】
2014215023.tif 000010
【図９】
2014215023.tif 000011